(57)【特許請求の範囲】
【請求項１】
エレベーター機械室に、少なくともエレベーターを駆動制御する電動機と、前記電動機を制御する電力変換装置と、前記電力変換装置を制御するマイクロコンピューターを配置すると共に、エレベーターかごにドアを開閉するドアモータを備えるエレベーター装置であって、
前記電動機、前記電力変換装置および前記ドアモータには、それぞれ前記電動機の電流を検出する電流検出手段、前記電力変換装置の主回路の電流を検出する電流検出手段、前記ドアモータの電流を検出する電流検出手段を備え、前記各電流検出手段の検出電流を前記マイクロコンピューターによってデータ処理し、前記データ処理した後の電流データを入出力する入出力インターフェースを設け、前記入出力インターフェースに可搬式の外部表示手段を着脱自在に接続可能なコネクタをエレベーターフロアの呼び釦部内、機械室または計測上安全な場所に設置し、前記電流データを前記外部表示手段に表示することを特徴とするエレベーターの保守装置。
【請求項２】
油圧エレベーター機械室に、油圧エレベーターを駆動制御する各種油圧機器と、前記各種油圧機器の油の温度および圧力を検出する複数の温度検出手段および圧力検出手段と、前記各検出手段の検出温度および圧力をデータ処理するマイクロコンピューターを配置し、前記データ処理した後の温度および圧力データを入出力する入出力インターフェースを設け、前記入出力インターフェースに可搬式の外部表示手段を着脱自在に接続可能なコネクタをエレベーターフロアの呼び釦部内、機械室または計測上安全な場所に設置し、前記温度および圧力データを前記外部表示手段に表示することを特徴とするエレベーターの保守装置。
【発明の詳細な説明】
【０００１】
【発明の属する技術分野】
本発明は、エレベーターの保守装置に係り、特に、エレベーターの各種機器の電流特性等を検査するエレベーターの保守装置に関する。
【０００２】
【従来の技術】
従来、エレベーターを構成する各種機器の動作の良否を調べるために、各種機器の電流特性を計測することが行われている。その電流特性の計測には、電流測定器が用いられ、エレベーターの据え付けが完了した時点や、エレベーターの通常の保守点検の時、また、据え付け調整後、客先に引き渡されるに当っての官公庁の検査を受ける場合に、エレベーターの乗りかごを走行させ、走行時における各種機器の電流特性を電流測定器により計測する。この時、エレベーターを構成する各種機器の設置場所によっては、測定者は乗り場から昇降路内に身を乗り出したり、直接昇降路内に入ったり、あるいは、かご上に乗ることにより、電流特性の測定を行っている。
【０００３】
【発明が解決しようとする課題】
ところで、従来の電流測定器による電流特性の検査では、測定者が乗り場から昇降路内に身を乗り出したり、直接昇降路内に入ったり、あるいは、かご上に乗ることから、安全上好ましくない、と指摘されている。特に、個人住宅用エレベーターでは、昇降路内に各種機器が設置されているため、測定者は昇降路内で電流特性の測定を行うことになる。また、油圧エレベーターでは、昇降路の頂部が狭いことから、測定者がかご上で油の温度や圧力特性を測定する場合、エレベーターが上昇運転する場合に、危険が伴うことになる。
【０００４】
本発明の課題は、従来の問題点に鑑み、エレベーターを構成する各種機器の電流特性等を安全に且つ簡便に計測するに好適なエレベーターの保守装置を提供することにある。
【０００５】
【課題を解決するための手段】
上記課題を解決するために、エレベーター機械室に、少なくともエレベーターを駆動制御する電動機と、電動機を制御する電力変換装置と、電力変換装置を制御するマイクロコンピューターを配置すると共に、エレベーターかごにドアを開閉するドアモータを備えるエレベーター装置であって、電動機、電力変換装置およびドアモータには、それぞれ電動機の電流を検出する電流検出手段、電力変換装置の主回路の電流を検出する電流検出手段、ドアモータの電流を検出する電流検出手段を備え、各電流検出手段の検出電流を前記マイクロコンピューターによってデータ処理し、データ処理した後の電流データを入出力する入出力インターフェースを設け、入出力インターフェースに可搬式の外部表示手段を着脱自在に接続可能なコネクタをエレベーターフロアの呼び釦部内、機械室または計測上安全な場所に設置し、電流データを外部表示手段に表示する。
また、油圧エレベーター機械室に、油圧エレベーターを駆動制御する各種油圧機器と、各種油圧機器の油の温度および圧力を検出する複数の温度検出手段および圧力検出手段と、各検出手段の検出温度および圧力をデータ処理するマイクロコンピューターを配置し、データ処理した後の温度および圧力データを入出力する入出力インターフェースを設け、入出力インターフェースに可搬式の外部表示手段を着脱自在に接続可能なコネクタをエレベーターフロアの呼び釦部内、機械室または計測上安全な場所に設置し、油の温度および圧力データを外部表示手段に表示する。
【０００６】
【発明の実施の形態】
以下、本発明の実施形態を図面を用いて詳細に説明する。
図５に、従来のエレベーターシステム全体を示す構成図を示す。図５において、１はエレベーターかご、２は巻上機の負荷等を軽減するための釣合錘、３は綱車４に巻掛けられたロープであり、その一端にはエレベーターかご１、他端には釣合錘２が結合される。５は綱車４を駆動する誘導電動機、６Ａは誘導電動機５に流れる電流を検出する検出器、７は電流検出器６から出力される検出データ、８は電流検出器６から出力される検出データやその他各種データ（図示せず）を取り込んでエレベーターを制御するマイクロコンピューター、９は三相交流電源、１０は三相交流をエレベーターの動作に適する電力に変換する電力変換装置である。
マイクロコンピューター８に電流検出器６の検出データやその他各種データが入力されると、マイクロコンピューター８は電力変換装置１０に指令信号を与え、誘導電動機５のトルク、回転数を適宜制御し、エレベーターを駆動制御する。
【０００７】
図１は、本発明の一実施形態によるエレベーターの保守装置を示す。図１において、図５と同一の符号は同一機器を表し、新たに電力変換装置１０の主回路の電流を検出する検出器６Ｂ、かご１のドアモータ２０の電流を検出する検出器６Ｃ、マイクロコンピューター８内に電流測定手段８’、入出力インターフェース１７、外部表示器１９を設ける。
本実施形態において、誘導電動機５、電力変換装置１０、ドアモータ２０の動作の良否を調べるに当って、それぞれの電流検出器６Ａ，６Ｂ，６Ｃからの検出電流をマイクロコンピューター８内の電流測定手段８’に入力し、電流データを算出する。この電流データを入出力インターフェース１７を介して外部表示器１９に表示する。
【０００８】
図２に、マイクロコンピューター８内の電流測定手段８’の詳細ブロックを示す。電流測定手段８’は、アナログ−ディジタル（Ａ／Ｄ）変換器１２Ａ，１２Ｂ，１２Ｃ、全体的な動作の制御を行う制御手段（ＣＰＵ）１３、ＣＰＵの動作プログラムを格納したプログラム格納用メモリ（ＲＯＭ）１４、処理したデータを一時的に書き込む処理データ書き込み用メモリ（ＲＡＭ）１５および表示器１６からなり、Ａ／Ｄ変換器１２Ａ，１２Ｂ，１２Ｃをそれぞれ電流検出器６Ａ，６Ｂ，６Ｃに接続し、共通制御バス１８にＡ／Ｄ変換器１２Ａ，１２Ｂ，１２Ｃ、ＣＰＵ１３、ＲＯＭ１４、ＲＡＭ１５、表示器１６および外部回路とインターフェースする入出力インターフェース１７を接続し、入出力インターフェース１７に外部表示器１９を接続する。表示器１６および外部接続の外部表示器１９は、先にＣＰＵ１３で算出された電流データを表示する。この時、電流データはキャラクタコードに変換することにより、測定者に分かりやすく表示する。
【０００９】
次に、図３は、ＣＰＵ１３で行われる電流データの入力処理動作を示すフローチャートである。電流データの入力処理は、次のような動作過程によって実施される。まず、ステップＳ１において、ＣＰＵ１３は電流検出器６Ａ、６Ｂ、６Ｃにより検出された各機器の検出データを各別に一定周期をもって検出する。続くステップＳ２において、ＣＰＵ１３はＡ／Ｄ変換器１２Ａ、１２Ｂ、１２Ｃによりディジタル化された検出データをそれぞれ取り込む。次にステップＳ３では、ＣＰＵ１３は取り込んだ検出データに基づいて表示する電流データの算出を行う。続いてステップＳ４において、ＣＰＵ１３は算出した電流データを表示器１６および外部接続の外部表示器１９に供給し、表示させる。そして、表示器１６および外部表示器１９における電流データの表示が行われた後、ステップＳ１に戻り、再び、ステップＳ１以降の動作が繰り返し続行される。
【００１０】
図４は、図１のエレベーターかご及びエレベーターを構成する各種機器を上から見た配置を示す。図４において、建家の壁２４内に昇降するエレベーターかご１が配置され、このエレベーターかご１にドアを開閉するドアモータ２０が備えられる。また、壁２４内に設備された機械室には釣合錘２、綱車３、誘導電動機５、電力変換装置１０、マイクロコンピューター８が配置される。ここで、本実施形態の特徴とする誘導電動機５の電流検出器６Ａ、電力変換装置１０の電流検出器６Ｂ、ドアモータ２０の電流検出器６Ｃを各機器内に設け、各電流検出器とマイクロコンピューター８をライン２１により接続し、また、エレベーターフロアに設置されている呼び釦部２２内に入出力インターフェース１７を設け、マイクロコンピューター８と入出力インターフェース１７を共通制御バス１８介して接続する。さらに、入出力インターフェース１７にコネクタ２３を用いて可搬式の外部表示器１９を着脱自在とする。
本実施形態では、マイクロコンピューター８と接続した入出力インターフェース１７を呼び釦部２２内に設け、この入出力インターフェース１７に可搬式の外部表示器１９を接続することにより、誘導電動機５、電力変換装置１０およびドアモータ２０の各電流データを読み取ることができるので、従来の危険を排除し、安全に且つ簡便に計測することができる。
【００１１】
なお、本実施形態は、入出力インターフェース１７の設置場所を呼び釦部２２内としたが、機械室や危険性のない任意の場所として測定を実施できることは云うまでもない。
また、本実施形態は、エレベーターを構成する機器として、誘導電動機５、電力変換装置１０およびドアモータ２０の電流特性の計測について説明したが、本発明は、エレベーターを構成するその他の機器の電流特性を検査することができる。
また、本発明は、油圧エレベータであれば、油の温度や圧力を温度検出器や圧力検出器から検出データを入力し、マイクロコンピューター８により前述の実施形態と同様にしてデータ変換を実施し、安全に且つ簡便に表示することも可能である。
【００１２】
【発明の効果】
以上詳細に説明したように、本発明によれば、エレベーターを構成する複数機器の電流検出部で得られた検出データをエレベーターフロアや機械室など危険性のない場所において可搬式の外部表示器に表示するようにしたので、各機器の電流特性を安全に且つ簡便に計測することができる。
また、油圧エレベータであれば、油の温度や圧力の検出データを同様に危険性のない場所において可搬式の外部表示器に表示するようにしたので、油の温度や圧力特性を安全に且つ簡便に表示することができる。
【図面の簡単な説明】
【図１】従来のエレベータシステム全体を示す概略構成図である。
【図２】本発明のマイクロコンピューター内の電流測定手段の詳細ブロック
【図３】本発明の電流データの入力処理動作を示すフローチャート
【図４】本発明のエレベーターかご及びエレベーターを構成する各種機器を上から見た配置図
【図５】従来のエレベーターシステム全体を示す構成図
【符号の説明】
１…エレベータかご    ２…釣合錘    ３…ロープ    ４…綱車    ５…誘導電動機    ６…電流検出器    ８…マイクロコンピューター    ８’…電流測定手段    ９…三相交流電源    １０…電力変換装置    １２…アナログ−ディジタル（Ａ／Ｄ）変換器    １３…制御手段（ＣＰＵ）    １４…プログラム格納用メモリ（ＲＯＭ）    １５…処理データ書き込み用メモリ（ＲＡＭ）    １６…表示器    １７…入出力インターフェース    １８…共通制御バス    １９…外部表示器    ２０…ドアモータ    ２２…呼び釦部    ２３…コネクタ
【図１】
0003567303.tif 000002
【図２】
0003567303.tif 000003
【図３】
0003567303.tif 000004
【図４】
0003567303.tif 000005
【図５】
0003567303.tif 000006